(57)【特許請求の範囲】
【請求項１】
複数の空間的ＭＩＭＯストリームを用いて、１つ以上のユーザ（ＵＥ１，ＵＥ２）へサービスするアレイアンテナ（２１〜２３）により生成されるビームパターンを適応させるための方法であって、前記アレイアンテナは、１つの開口の範囲内に複数のアンテナサブアレイ（２４）を含み、固定ビーム（４１）のセットを用いてサービスエリアへカバレッジを提供するように構成され、各固定ビームは、前記サービスエリアの一部をカバーするビームパターンを有し、前記ビームパターンは、前記アンテナサブアレイへ重みを適用することにより生成され、
前記方法は、
ａ）各固定ビームについて複数セットの重みを生成すること（１１６）であって、重みの各セットは、主方向における同様のカバレッジ、及び、前記主方向以外の他の方向における１つ以上の閾値よりも低いサイドローブレベルを生成し、前記他の方向は、固定ビームの前記セットに属する限られた数の固定ビームの主方向に対応する、前記生成すること（１１６）と、
ｂ）各固定ビームについての前記重みのセットを記憶すること（１１８）と、
ｃ）通信目的のために使用されることを意図される少なくとも２つの固定ビームに関する情報をスケジューラ（３４，９１）から受信すること（１２０）であって、第１の固定ビーム（２５，９６）及び第２の固定ビーム（２６，９４）が前記１つ以上のユーザ（ＵＥ１，ＵＥ２）へカバレッジを提供する、前記受信すること（１２０）と、
ｄ）前記第１の固定ビームと前記第２の固定ビームとの間の干渉を最小化するように、前記第２の固定ビーム（９４）の主方向におけるサイドローブレベル（９５）に基づいて、前記第１の固定ビーム（２５，９６）について、記憶されている前記重みのセットから重みのセットを選択し、前記第１の固定ビーム（９６）の主方向におけるサイドローブレベル（９７）に基づいて、前記第２の固定ビーム（２６，９４）について、記憶されている前記重みのセットから重みのセットを選択すること（１２１）と、
ｅ）各固定ビームについて選択された前記重みのセットを、前記アレイアンテナ（２１〜２３）の前記アンテナサブアレイへ、それぞれのビームパターンを生成する際に適用すること（１２２）と、
を含む方法。
【請求項２】
前記１つ以上の閾値は、−２０ｄＢよりも低いものとして選択される、請求項１に記載の方法。
【請求項３】
ステップａ）は、
前記主方向以外の、１つ以上のそれぞれの固定ビームの方向と一致する方向において前記閾値の１つよりも低いサイドローブレベルを伴う、少なくとも１セットの重みを生成することをさらに含む、請求項１又は２に記載の方法。
【請求項４】
前記重みは、前記アンテナサブアレイにわたる振幅分布及び／又は位相分布を含み、各固定ビームについて生成される重みの各セットは、開口効率に対応し、
ステップｄ）は、最高の開口効率に対応する、前記第１の固定ビーム及び前記第２の固定ビームについての重みの各セットを選択することをさらに含む、請求項１から３のいずれか１項に記載の方法。
【請求項５】
前記開口効率は、主ビーム外の全ての方向において固定的なサイドローブ抑制を伴う開口分布を適用する際の開口効率と比較して改善されるように選択される、請求項４に記載の方法。
【請求項６】
各固定ビームについて生成される重みの各セットは、電力増幅器利用率に対応し、
ステップｄ）は、最高の電力増幅器利用率に対応する、前記第１の固定ビーム及び前記第２の固定ビームについての重みの各セットを選択することをさらに含む、請求項１から５のいずれか１項に記載の方法。
【請求項７】
前記電力増幅器利用率は、主ビーム外の全ての方向において固定的なサイドローブ抑制を伴う開口分布を適用する際の電力増幅器利用率と比較して改善されるように選択される、請求項６に記載の方法。
【請求項８】
ステップｄ）は、ユーザへサービスする各固定ビームについて、同じユーザ又は他のユーザへサービスする他のビームの方向においてのみサイドローブを抑制することをさらに含む、請求項１から７のいずれか１項に記載の方法。
【請求項９】
前記アレイアンテナは、第１次元及び前記第１次元に垂直な第２次元において、複数のビームを介して１つ以上のユーザへサービスするように構成される２次元アレイアンテナであり、
前記複数のビームは、前記第１次元に沿って分布し、
ステップｄ）は、
前記第１次元において不均一な振幅分布を使用することと、
前記第２次元において均一な振幅分布を使用することと、
をさらに含む、請求項８に記載の方法。
【請求項１０】
前記１つ以上のユーザへ単一のアレイアンテナ（２１〜２３）がサービスする、請求項１から９のいずれか１項に記載の方法。
【請求項１１】
前記１つ以上のユーザへ少なくとも２つのアレイアンテナがサービスする、請求項１から９のいずれか１項に記載の方法。
【請求項１２】
前記第１の固定ビーム（２５，９６）は、第１のユーザ（ＵＥ１）へカバレッジを提供し、前記第２の固定ビーム（２６，９４）は、第２のユーザ（ＵＥ２）へカバレッジを提供する、請求項１から１１のいずれか１項に記載の方法。
【請求項１３】
複数の空間的ＭＩＭＯストリームを用いて、１つ以上のユーザ（ＵＥ１，ＵＥ２）へサービスするアレイアンテナ（２１〜２３）により生成されるビームパターンを適応させるための制御システムであって、前記アレイアンテナは、１つの開口の範囲内に複数のアンテナサブアレイ（２４）を含み、固定ビームのセットを用いてサービスエリアへカバレッジを提供するように構成され、各固定ビームは、前記サービスエリアの一部をカバーするビームパターンを有し、前記ビームパターンは、前記アンテナサブアレイへ重みを適用することにより生成され、
前記制御システムは、各アレイアンテナに関連付けられる、各固定ビームについての複数セットの重みを記憶するように構成されるメモリ（３２）を備え、重みの各セットは、主方向における同様のカバレッジ、及び、前記主方向以外の他の方向における１つ以上の閾値よりも低いサイドローブレベルを生成するように構成され、前記他の方向は、固定ビームの前記セットに属する限られた数の固定ビームの主方向に対応し、
前記制御システムは、少なくとも１つの処理ユニット（３１）、を備え、前記少なくとも１つの処理ユニット（３１）は、
通信目的のために使用されることを意図される少なくとも２つの固定ビームであって、第１の固定ビーム（２５，９６）及び第２の固定ビーム（２６，９４）が前記１つ以上のユーザ（ＵＥ１，ＵＥ２）へカバレッジを提供する、前記少なくとも２つの固定ビームに関する情報を受信し、
前記第１の固定ビームと前記第２の固定ビームとの間の干渉を最小化するように、前記第２の固定ビーム（９４）の主方向におけるサイドローブレベル（９５）に基づいて、前記第１の固定ビーム（２５，９６）について、前記メモリ（３２）から重みのセットを選択し、前記第１の固定ビーム（９６）の主方向におけるサイドローブレベル（９７）に基づいて、前記第２の固定ビーム（２６，９４）について、前記メモリ（３２）から重みのセットを選択し、
それぞれのビームパターンを生成する際に前記アレイアンテナ（２１〜２３）の前記アンテナサブアレイへ適用されるように、通信のために意図される各固定ビームについての重みのセットに関する情報を提供する、
ように構成される、制御システム。
【請求項１４】
前記１つ以上の閾値は、−２０ｄＢよりも低いものとして選択される、請求項１３に記載の制御システム。
【請求項１５】
前記メモリ（３２）内に記憶されるように構成される少なくとも１セットの重みは、前記主方向以外の、それぞれの各固定ビームの方向と一致する前記サービスエリア内の方向において、前記閾値の１つよりも低いサイドローブレベルを有する、請求項１３又は１４に記載の制御システム。
【請求項１６】
各処理ユニットは、固定ビームに関する前記情報をスケジューラ（３４，９１）から受信するように構成され、前記少なくとも１つの処理ユニットは、少なくとも１つのアンテナ制御システムへ、通信のために意図される各固定ビームについての重みのセットに関する前記情報を提供するように構成される、請求項１３から１５のいずれか１項に記載の制御システム。
【請求項１７】
サービスエリア内の少なくとも１つのユーザと通信するように構成される通信システムであって、
１つ以上のユーザ（ＵＥ１，ＵＥ２）へサービスするアレイアンテナ（２１〜２３）を伴う少なくとも１つのノードであって、前記アレイアンテナは、１つの開口の範囲内に複数のアンテナサブアレイ（２４）を含み、固定ビームのセットを用いてサービスエリア（Ａ，Ｂ，Ｃ）へカバレッジを提供するように構成され、各固定ビームは、前記サービスエリアの一部をカバーするビームパターンを有し、前記ビームパターンは、前記アレイアンテナの前記アンテナサブアレイへ重みを適用することにより生成される、前記少なくとも１つのノードと、
通信目的のために使用されることを意図される少なくとも２つの固定ビームであって、第１の固定ビーム（２５，９６）及び第２の固定ビーム（２６，９４）が前記１つ以上のユーザ（ＵＥ１，ＵＥ２）へカバレッジを提供する、前記少なくとも２つの固定ビームに関する情報を提供するように構成されるスケジューラ（３４，９１）と、
請求項１３から１６のいずれか１項に記載の制御システム（３０）と、
を含む通信システム。
【発明の詳細な説明】
【技術分野】
【０００１】
本開示は、独立請求項１のプリアンブルに定義されているように、アレイアンテナにより生成されるビームパターンを適応させるための方法に関する。本発明は、アレイアンテナにより生成されるビームパターンを適応させるための制御システム、及びそうした制御システムを含む通信システムにも関する。
【背景技術】
【０００２】
固定的なマルチビームアンテナシステムは、通信システムにおいてあり得る複数の実装のうちの１つである。その原理は、２つの直交的な極性を伴って、ノードについてのサービスエリアの一部を各ビームがカバーし、全てのビームが併せて所望のサービスエリアの全体をカバーする形で、固定ビームのかなり大きいセットを有することである。
【０００３】
そうしたシステムにおいて、ＵＥとノードとの間のダウンリンク及びアップリンクの送信を、最も適切なビーム、即ち最良のリンクバジェットを与えかつ最良のＳＩＲを有するビームのサブセットを活用することにより、スケジューリングすることができる。同時に、干渉を十分に低く保つことができること、即ちビームの異なるサブセット同士の空間的隔離が十分であることを前提として、ビームの他のサブセットを活用することで他のＵＥをスケジューリングすることも可能である。
【０００４】
マルチビームアンテナシステムを実現する１つの手法は、アレイアンテナを活用し、各ビームをエレメント励起（エレメント重み）のセットに対応させることである。
【０００５】
固定的なマルチビームシステムに伴う１つの課題は、全てのシステムでそうであるように、信号が望ましいビームを介して送受信されるのみならず、サイドローブを介しても送受信されることであり、即ち、ビーム間の空間的隔離はそれらビームのサイドローブレベルに依存する。サイドローブを介して送受信される信号は、他のビームを介して送信される他の信号にとっては干渉として現れることになり、複数のユーザ（ＭＵ−ＭＩＭＯ）との間、又は、単一のユーザ（ＳＵ−ＭＩＭＯ）との間の同時の送信及び／若しくは受信の有益性を低下させるであろう。
【０００６】
よって、ビーム間の良好な隔離は、他のビームへ与える干渉を低くする目的で、所望のカバレッジエリアを有するのみならず、カバレッジエリア外のサイドローブレベルが低いことをも要する。
【０００７】
アレイアンテナを使用する場合、所望のビームカバレッジのため、及び低いサイドローブレベルのために、各ビームについてのエレメント重みが決定されるべきである。しかしながら、概して、低いサイドレベルの要件は、低下する開口効率という代価を意味する。ダウンリンクでは、アクティブアレイアンテナの実現のケースにおいて、劣悪なＰＡ利用率もまた課題となる。
【発明の概要】
【発明が解決しようとする課題】
【０００８】
本発明での１つの目的は、従来の技法と比較して改善された空間的隔離及び信号干渉比を有する、１つ以上のユーザを伴うアンテナシステムにおけるビームパターンを適応させるための方法を提供することである。
【課題を解決するための手段】
【０００９】
上記目的は、複数の空間的ＭＩＭＯストリームを用いて、１つ以上のユーザへサービスする少なくとも１つのアレイアンテナにより生成されるビームパターンを適応させるための方法により達成され得る。各アレイアンテナは、１つの開口の範囲内に複数のサブアレイを含む。上記アレイアンテナは、固定ビームのセットを用いてサービスエリアへカバレッジを提供するように構成される。各固定ビームは、上記サービスエリアの一部のみをカバーするビームパターンを有し、上記ビームパターンは、上記アンテナサブアレイへ重みを適用することにより生成される。
【００１０】
上記方法は、
ａ）各固定ビームについて複数セットの重みを生成することと、重みの各セットは、主方向（即ち、メインローブ）における同様のカバレッジ、及び、上記主方向以外の他の方向における１つ以上の閾値よりも低いサイドローブレベルを生成することと、上記他の方向は、固定ビームの上記セットに属する限られた数の固定ビームの主方向に対応することと、
ｂ）各固定ビームについての上記重みのセットを記憶することと、
ｃ）通信目的のために使用されることを意図される少なくとも２つの固定ビームに関する情報をスケジューラから受信することと、第１の固定ビームが第１のユーザへカバレッジを提供し、第２の固定ビームが第２のユーザへカバレッジを提供することと、
ｄ）上記第１のビームと上記第２のビームとの間の干渉を最小化するように、上記第２の固定ビームの主方向におけるサイドローブレベルに基づいて、上記第１の固定ビームについて、記憶されている上記重みのセットから重みのセットを選択し、及び、上記第１の固定ビームの主方向におけるサイドローブレベルに基づいて、上記第２の固定ビームについて、記憶されている上記重みのセットから重みのセットを選択することと、
ｅ）各固定ビームについての選択される上記重みのセットを、上記アンテナサブアレイへ、それぞれのビームパターンを生成する際に適用することと、
を含む。
【００１１】
上記目的は、複数の空間的ＭＩＭＯストリームを用いて、１つ以上のユーザへサービスするアレイアンテナにより生成されるビームパターンを適応させるための制御システムにより達成され得る。各アレイアンテナは、１つの開口の範囲内に（１つ以上のアンテナエレメントを含む）複数のアンテナサブアレイを含む。上記アレイアンテナは、固定ビームのセットを用いてサービスエリアへカバレッジを提供するように構成される。各固定ビームは、上記サービスエリアの一部のみをカバーするビームパターンを有し、上記ビームパターンは、上記アンテナサブアレイへ重みを適用することにより生成される。上記制御システムは、
−  各固定ビームについての複数セットの重みを記憶するように構成されるメモリ、を備える。重みの各セットは、主方向（即ち、メインローブ）における同様のカバレッジ、及び、上記主方向以外の他の方向における１つ以上の閾値よりも低いサイドローブレベルを生成するように構成される。上記他の方向は、固定ビームの上記セットに属する限られた数の固定ビームの主方向に対応する。
−  上記制御システムは、処理ユニットを備え、上記少なくとも１つの処理ユニットは：
−  通信目的のために使用されることを意図される少なくとも２つの固定ビームであって、第１の固定ビーム及び第２の固定ビームが上記１つ以上のユーザへカバレッジを提供する、上記少なくとも２つの固定ビームに関する情報を受信し、
−  上記第１の固定ビームと上記第２の固定ビームとの間の干渉を最小化するように、上記第２の固定ビームの主方向におけるサイドローブレベルに基づいて、上記第１の固定ビームについて、上記メモリから重みのセットを選択し、及び、上記第１の固定ビームの主方向におけるサイドローブレベルに基づいて、上記第２の固定ビームについて、上記メモリから重みのセットを選択し、
−  それぞれのビームパターンを生成する際に上記アンテナサブアレイへ適用されるように通信のために意図される、各固定ビームについての重みのセットに関する情報を提供する、
ように構成される。
【発明の効果】
【００１２】
本発明の利点は、ＭＵ−ＭＩＭＯについての性能を、特にサイドローブ領域において、スケジューリング決定と併せてビームパターンを適応させることにより改善することができることである。
【００１３】
本発明の他の利点は、アンテナ開口のより効率的な使用と共にＰＡ利用率の改善が可能とされることである。
【００１４】
詳細な説明及び図面から、さらなる目的及び利点が当業者にとって明白となるであろう。
【図面の簡単な説明】
【００１５】
【図１】従来技術に従った、通信システム内のノードを示し、当該ノードによりサービスされる複数のユーザの間の通信を例示している。
【図２】本発明を実装するように構成されるアンテナ配置を示している。
【図３】本発明を実装するように構成される制御システムを例示している。
【図４ａ】均一な励起を伴う１次元アレイアンテナを介するビームのセットを示している。
【図４ｂ】図４ａの１次元アレイアンテナについての電力利用率及び位相を示している。
【図５ａ】従来技術に係るテイラー分布に従った振幅重みで１次元アレイアンテナを介して形成される具体的なビームについての一例を示している。
【図５ｂ】図５ａの１次元アレイアンテナについての電力利用率及び位相を示している。
【図６ａ】第１方向における抑制を伴う１次元アレイアンテナを介する具体的なビームについての第１の例を示している。
【図６ｂ】図６ａの１次元アレイアンテナについての電力利用率及び位相を示している。
【図７ａ】第２方向における抑制を伴う１次元アレイアンテナを介する具体的なビームについての第２の例を示している。
【図７ｂ】図７ａの１次元アレイアンテナについての電力利用率及び位相を示している。
【図８】本発明を例示するビームパターンを図２との組み合わせで示している。
【図９】異なる複数のセル内のユーザについての本発明を例示する一例を示している。
【図１０ａ】均一な振幅分布を伴う２次元方形アレイアンテナを介して形成されるビームについてのビームパターンを示している。
【図１０ｂ】図１０ａの２次元方形アレイアンテナについての電力利用率を示している。
【図１１ａ】テイラー分布を伴う２次元方形アレイアンテナを介して形成されるビームについてのビームパターンを示している。
【図１１ｂ】図１１ａの２次元方形アレイアンテナについての電力利用率を示している。
【図１２】本発明の方法を具現化するフローチャートを示している。
【図１３】本発明の汎用的な装置を示している。
【発明を実施するための形態】
【００１６】
以下の説明は、説明（及び図面）を簡明にする目的のために、主として１次元（１Ｄ）アンテナのケースに焦点を当てるが、本概念を１Ｄへ限定するわけではない。実際、本アイディア及び方法は、図９〜図１１ｂに関連して例示されるように、２次元（２Ｄ）アンテナにとってより一層有益である。
【００１７】
アレイアンテナは、複数のサブアレイＮｔｏｔを含み、１つの開口の範囲内で、例えばＮｔｏｔ＝Ｍ×Ｎ個のアンテナサブアレイ（各サブアレイが１つ以上のアンテナエレメントを含む）として構成される。Ｍ及びＮは、１以上の整数であり、Ｍ，Ｎ≧１である。後の説明はＭ×Ｎトポロジーを対象とし、一方でその原理は他のアンテナトポロジーにも同様に当てはまる。
【００１８】
本発明は、“固定マルチビーム”システムに関し、機能的な説明として解釈されるべきであり、ビームのセットから選択される１つ以上のビームを介して送信及び／又は受信が行われ、各ビームはサービスエリアのある部分、即ち一部のみをカバーする。ビームは、特性が時間にわたって原理上静的であるというという意味において固定的である。“固定ビーム（Fixed  beams）”は、バトラーマトリックス又は類似のものを用いるなど、実装上の説明として解釈されるべきではない。
【００１９】
本発明は、固定マルチビームアンテナシステムに関する。本発明では、異なるビームのサブセットの間の良好な空間的隔離のための必要条件を改善し、よって例えばＭＵ−ＭＩＭＯのスケジューリングについてのＳＩＮＲを改善する目的で、フレキシブル固定ビームの概念が導入される。本発明は、同一のユーザへの異なるパスを介する複数の空間的データストリームを伴うＳＵ−ＭＩＭＯにも適用可能であり、又はＳＵ／ＭＵ−ＭＩＭＯの組み合わせにも適用可能である。このように、本発明はＭＵ−ＭＩＭＯ、ＳＵ−ＭＩＭＯ又はそれらの組み合わせのいずれにも適用可能ではあるが、本説明はＭＵ−ＭＩＭＯによる発明を例示する。
【００２０】
選択されるビームの組み合わせについてのＳＩＮＲは、主ビームにおける信号強度を原理上変更せず、一方で同時に使用される他のビームの方向に拡散する干渉をそれら方向でのサイドローブレベル（ＳＬＬ）の低減によって引き下げるように、ビーム形成重みをわずかに修正することにより、改善され得る。
【００２１】
基本的なアイディアは、各セットが主方向において同一の又は少なくとも同様のビームカバレッジを生成するような複数セットの重みであって、それら重みのセットの間の違いが異なるエリア又は方向に低いサイドローブレベルを伴うことであるような、複数セットの重みを各ビームが有するようにすることである。そして、スケジューラは、どのＵＥをどのビームのセットでスケジューリングすべきかを一度決定すれば、それを活用して空間的隔離及びＳＩＲを改善することができる。
【００２２】
ビームパターンを適応させること（様々な重みのセットを用いること）により、ＭＵ−ＭＩＭＯについての性能を、特にサイドローブ領域において、スケジューリング決定と併せて改善することができる。
【００２３】
提案される解決策は、ＭＵ−ＭＩＭＯについてのみならず、図９に関連して例示されるように、異なるセル内の、典型的には隣接するセル内のユーザについて性能を改善するためにも使用されることができる。
【００２４】
フレキシブル固定ビームの概念は、アンテナ開口のより効率的な使用と共にＰＡ利用率の改善をも可能にする。これが達成可能なのは、重みの各セットについて、サイドローブレベルが、サービスエリア全体にわたって抑制される必要がなく、サービスエリアの一部だけで抑制されればよいからであり、その一部において、即ち主方向以外の方向において、サイドローブレベルは予め決定される閾値を下回る。同じ方向において１つ以上の閾値を下回るサイドローブレベルを有する同じ固定ビームのための重みのセットを生成することは可能である。（図１０ａ〜ｂ及び図１１ａ〜ｂに関連して例示されるような）２次元アレイアンテナについて、主要なカット（cardinal  cuts）の外側のＳＬＬは、主要なカットの内部よりもかなり低い。よって、主要なカットの外側の方向にいるユーザについてＳＬＬ抑制のための手段を適用する必要性は低く、旧来のＳＬＬ抑制技法よりも良好なＰＡ利用率及び開口効率が可能となる。
【００２５】
図１は、従来技術に係る通信システム内のノードを示している。典型的には、ノードは、当該ノード内に実装されるアンテナ配置１１により左右されるサービスエリア１０内のユーザ（第１のユーザ機器ＵＥ１及び第２のユーザ機器ＵＥ２により例示されている）へサービスしている。上記ノードとユーザ機器ＵＥ１及びＵＥ２との間の矢印１２及び１３により示されるように、同時の通信が発生するかもしれず、背景欄において説明したように、固定マルチビームアンテナシステムを用いる場合には、最も適切なサブセットビーム群、即ち、最良のリンクバジェットを与えかつ最良のＳＩＲを有するサブセットビーム群を活用して、ＵＥ１と上記ノードとの間のダウンリンク及びアップリンク送信をスケジューリングすることができる。しかしながら、他のビームのサブセットを用いて同時にＵＥ２をスケジューリングすることは、異なるビームのサブセット同士の空間的隔離が十分でないかもしれないため、困難であり得る。
【００２６】
図２は、水平面内の３つのリニアアレイアンテナ２１、２２及び２３（１０個のアンテナアレイを伴う１次元の例）により実現されるノード２０を示しており、各リニアアレイアンテナは、Ａ、Ｂ及びＣと表記される１２０度のセクタへサービスする。ＵＥ１及びＵＥ２は、リニアアレイアンテナ２１によりサービスされる同じセクタＡの範囲内に位置する。この例において、各アレイアンテナは、１０個のアクティブなサブアレイ２４からなり（図示の目的のために、各サブアレイは単一のアンテナエレメントとして示されている）、それらアンテナサブアレイについて９０度の半電力ビーム幅が想定される。
【００２７】
各アレイアンテナは、それぞれの１２０度のセクタをカバーするために、様々な方向の１６個の固定ビームを有するものと想定され、ビーム２５はＵＥ１のためのカバレッジを提供し、ビーム２６はＵＥ２のためのカバレッジを提供する。図４ａ及び図４ｂは、固定ビームに適切な方向を向かせるための適当な位相を伴う均一な振幅分布に基づく１６個の固定ビームを示している。均一な振幅分布によって、ダウンリンクにおいて１００％の開口効率と１００％のＰＡ利用率が達成される。
【００２８】
図３は、本発明を実装するように構成される制御システム３０を例示している。当該制御システムは、メモリ３２と連携するように構成される処理ユニット３１を備える。また、制御システム３０の処理ユニット３１は、例えばスケジューラ３４から情報３３を受信するように構成され、及びアンテナ制御情報３５を提供するように構成され、アンテナ制御情報３５は、アレイアンテナ３６を通じてユーザと通信する際に使用される。
【００２９】
制御システム３０の目的は、ＭＵ−ＭＩＭＯシステムにおける同時ユーザであり得る１つ以上のユーザへサービスするアレイアンテナ３６により生成されるビームパターンを調整することである。上記アレイアンテナは、１つの開口の範囲内に複数のアンテナサブアレイを含む。アレイアンテナ３６は、固定ビームのセットを用いてサービスエリアへカバレッジを提供するように構成され、各固定ビームは、例えば１次元アレイアンテナについてのセクタなどのサービスエリアの一部をカバーするビームパターンを有し、そのビームパターンはアンテナサブアレイへ重みを適用することにより生成される。
【００３０】
上で言及したように、上記制御システムは、メモリ３２及び処理ユニット３１を備える。メモリ３２は、各固定ビームについて複数セットの重みを記憶する、ように構成される。重みの各セットは、主方向（即ち、メインローブ）における同じ又は少なくとも同様のカバレッジ、及び、上記主方向以外の他の方向における１つ以上の閾値よりも低いサイドローブレベル、を生成するように構成される。上記他の方向は、図６ａ、図７ａ及び図８に関連して例示したように、固定ビームのそのセットに属する限られた数の固定ビームの主方向に対応する。
【００３１】
処理ユニット３１は、
−  通信目的のために使用されることを意図される（図２に例示したような）少なくとも２つの固定ビーム２５及び２６であって、第１の固定ビーム２５が第１のユーザＵＥ１へカバレッジを提供し及び第２の固定ビーム２６が第２のユーザＵＥ２へカバレッジを提供する、当該少なくとも２つの固定ビームに関する情報を受信する、ように構成される。ＳＵ−ＭＩＭＯのケースでは、第１のビーム及び第２のビームは、同じユーザ、例えばＵＥ１へカバレッジを提供し得るはずである。
処理ユニット３１は、
−  第１の固定ビーム２５と第２の固定ビーム２６との間の干渉を最小化するように、第２の固定ビーム２６の主方向におけるサイドローブレベルに基づいて、第１の固定ビーム２５について、メモリ３２から重みのセットを選択し、及び、第１の固定ビーム２５の主方向におけるサイドローブレベルに基づいて、第２の固定ビーム２６について、メモリ３２から重みのセットを選択し、
−  アレイアンテナ３６からのそれぞれのビームパターンを生成する際に上記アンテナサブアレイへ適用されるように通信のために意図される、各固定ビームについての重みのセットに関する情報３５を提供する、
ように構成される。
【００３２】
図４ａは、均一な励起での、１０個のエレメントを伴う（図２に関連して説明したような）１次元アレイアンテナを介する、固定ビームのセット４１のビームパターンを例示するグラフを示している。ｘ軸は−６０度から＋６０度のレンジにおける度数法での角度であり、ｙ軸はｄＢｉでの利得である。固定ビームを生成する際、メインローブ４２が生成されると共にサイドローブもまた＋２ｄＢｉ以下で生成され、＋２ｄＢｉが線４３で示されている。各メインローブは＋１２ｄＢｉを上回り、サイドローブレベル（ＳＳＬ）は同じ方向の主ビームのピーク利得に対して−１３ｄＢを下回る。図４ｂは、図２の１次元アレイアンテナ２１内の１０個全てのアンテナサブアレイ（ｘ軸上）について０．０ｄＢ（線４４）の振幅を、図２の１次元アレイアンテナ２１内の１０個全てのアンテナサブアレイについて０度の位相（ライン４５）を示している。
【００３３】
図５ａは、図５ｂに示したようなテイラー分布に従って、図２のアレイアンテナ２１内の１０個のアンテナサブアレイ２４へ適用される、複数の振幅重み（線５１）を伴う＋１３ｄＢｉでの第３の固定ビーム５０のビームパターンについての一例を示している。サイドローブは−９ｄＢｉを下回り、ＳＳＬは−２２ｄＢである。図２の１次元アレイアンテナ２１内の１０個全てのアンテナサブアレイについて、位相は０度である（線５２）。これは、９５％（−０．２ｄＢ）の開口効率に相当し、ＰＡ利用率は６２％（−２．１ｄＢ）である。テイラー分布を用いる利点は、サービスエリアの範囲内の任意の方向において、適切であり但し一定ではないＳＳＬが達成されることである。テイラー分布で例示したような、メインローブ外の全ての方向における固定的なサイドローブ抑制を伴ういかなる開口分布も、同じ利点を有することになるが、劣悪なＰＡ利用率及び開口効率に関する欠点をも経験するであろう。
【００３４】
図６ａは、＋１５ｄＢｉの第３の固定ビーム６０のビームパターンについての一例を示しており、当該ビームのピーク利得に対して相対的に−２５ｄＢのＳＬＬ（−１０ｄＢｉを下回るサイドローブ）を第１０固定ビーム６１、第１１固定ビーム６２及び第１２固定ビーム６３の位置において達成するように最適化された振幅重み及び位相重みを伴う。図６ｂは、図２の１次元アレイアンテナ２１内の１０個全てのアンテナサブアレイ（ｘ軸上）について変化する振幅（線６４）と、図２の１次元アレイアンテナ２１内の１０個全てのアンテナサブアレイについて変化する位相（線６５）とを示している。このケースにおいて、開口効率は９８．６％（−０．０６ｄＢ）であり、ＰＡ利用率は７９％（−１０ｄＢ）である。
【００３５】
図７ａは、＋１５ｄＢｉの第３の固定ビーム７０のビームパターンについての一例を示しており、当該ビームのピーク利得に対して相対的に−２３ｄＢのＳＬＬ（−８ｄＢｉを下回るサイドローブ）を第８固定ビーム７１及び第９固定ビーム７２の位置において達成するように最適化された振幅重みを伴う。図７ｂは、図２の１次元アレイアンテナ２１内の１０個全てのアンテナサブアレイ（ｘ軸上）について変化する振幅（線７３）と、図２の１次元アレイアンテナ２１内の１０個全てのアンテナサブアレイについて変化する位相（線７４）とを示している。このケースにおいて、開口効率は９８．３％（−０．０７ｄＢ）であり、ＰＡ利用率は９３％（−０．３ｄＢ）である。
【００３６】
図８は、図２との組み合わせにおける本発明を例示するビームパターンを示している。ＵＥ１は、第３のビーム７５に対応する第１方向（−４０度）に位置し、ＵＥ２は、第１１ビーム７６に対応する第２方向（＋２０度）に位置する。実線は、第１方向の固定ビーム（メインローブ）とサイドローブとを示し、破線は、第２方向の固定ビーム（メインローブ）とサイドローブとを示している。
【００３７】
第１方向の固定ビームについて適切な重みのセットを選択することにより、第２方向のサイドローブレベルは、線７７により例示されているように−１０ｄＢｉを下回る。また、第２方向の固定ビームについて適切な重みのセットを選択することにより、第１方向のサイドローブレベルは−１０ｄＢｉを下回る。よって、サイドローブが他方のビームの方向におけるピークに対して−２５ｄＢを下回るまで低減されることから、ＵＥ１及びＵＥ２との同時通信が改善されたＳＩＲで達成され得る。
【００３８】
図９は、異なる複数のセル内のユーザについての本発明を例示する通信システム９０の一例を示している。システム９０は、この例では、ユーザ（ＵＥ１及びＵＥ２）へサービスする２つのノード（９８及び９９）を含む。共通スケジューラ９１は、矢印９２及び９３により示したように、それらノードと通信関係にある。信号受信を改善し、ＵＥ１及びＵＥ２との同時通信を容易化する目的で、スケジューラ９１は、どのユーザをカバレッジの提供先とし、干渉を最小化するためにどの方向のサイドローブを抑制すべきかを示す情報を各ノードへ送信する。
【００３９】
図３に関連して説明したように、制御システムは、各ノード内に実装されてもよい。第１のノード９８において、制御ユニットは、ＵＥ２向けのカバレッジ（メインローブ９４）を提供する重みのセットを選択し、ＵＥ１の方向のサイドローブ（サイドローブ９５）を抑制する。同様に、第２のノード９９において、制御ユニットは、ＵＥ１向けのカバレッジ（メインローブ９６）を提供する重みのセットを選択し、ＵＥ２の方向のサイドローブ（サイドローブ９７）を抑制する。
【００４０】
当然ながら、各ノードのアンテナ制御システムへアンテナ制御情報を提供する、スケジューラ９１内に統合される共通の制御ユニットを使用することが可能である。しかしながら、カバレッジを提供するために使用可能な複数セットの重みに関する情報を記憶するように、各アレイアンテナに関連付けられるメモリが提供されなければならない。そのメモリは、（図３に例示したように）各ノード内に実装されてもよく、又は、例えばスケジューラ９１と一緒に統合されるなど、それらノードにとって共通であってもよい。
【００４１】
上記制御システムは、１つ以上のユーザへサービスする少なくとも１つのアレイアンテナにより生成されるビームパターンを調整するように構成される（図３には１つのアレイアンテナの一例が示されており、図９には２つのアレイアンテナの一例が示されている）。各アレイアンテナは、１つの開口の範囲内に複数のアンテナサブアレイを含み、固定ビームのセットを用いてサービスエリアへカバレッジを提供するように構成される。各固定ビームは、１次元アレイアンテナについてのセクタなどのサービスエリアの一部をカバーするビームパターンを有し、そのビームパターンはアンテナサブアレイへ重みを適用することにより生成される。
【００４２】
上記制御システムは、各アレイアンテナに関連付けられるメモリと、１つの処理ユニット（図３）又は２つの処理ユニット（図９）とを含む。メモリは、関連付けられるアレイアンテナ向けの各固定ビームについての複数セットの重みを記憶する、ように構成され、重みの各セットは、主方向（即ち、メインローブ）における同様のカバレッジ、及び、上記主方向以外の他の方向における１つ以上の閾値よりも低い（例えば、メインローブに対して−２０ｄＢよりも低い）サイドローブレベル、を生成するように構成され、上記他の方向は、固定ビームのそのセットに属する限られた数の固定ビームの主方向に対応する。
【００４３】
上記少なくとも１つの処理ユニットは、
−  通信目的のために使用されることを意図される少なくとも２つの固定ビームであって、第１の固定ビーム及び第２の固定ビームが１つ以上のユーザへカバレッジを提供する、当該少なくとも２つの固定ビームに関する情報を、例えばスケジューラから受信する、ように構成される。その情報は、共通の座標系における指示方向と、（図９に例示したような）複数の別個のアレイアンテナのケースにおける他の関係する情報とを含み得る。
上記少なくとも１つの処理ユニットは、
−  第１の固定ビームと第２の固定ビームとの間の干渉を最小化するように、第２の固定ビームの主方向におけるサイドローブレベルに基づいて、第１の固定ビームについて、メモリから重みのセットを選択し、及び、第１の固定ビームの主方向におけるサイドローブレベルに基づいて、第２の固定ビームについて、メモリから重みのセットを選択し、
−  それぞれのビームパターンを生成する際に上記少なくとも１つのアレイアンテナのアンテナサブアレイへ適用されるように通信のために意図される、各固定ビームについての重みのセットに関する情報を提供する、
ように構成される。
【００４４】
メモリ内に記憶されるように構成される少なくとも１セットの重みは、主方向以外のそれぞれの各固定ビームの方向と一致するサービスエリア内の方向において、閾値のうちの１つよりも低いサイドローブレベルを有してよい。
【００４５】
上記少なくとも１つの処理ユニットは、１つのアンテナ制御システム（図３）又は２つのアンテナ制御システム（図９）へ各固定ビームについての重みのセットに関する情報を提供する、ように構成されてもよい。
【００４６】
ビームパターンを適応させるための上記制御システム及び方法は、サービスエリア内の少なくとも１つのユーザと通信するように構成される通信システム内に実装されてもよい。当該通信システムは、
−  １つ以上のユーザへサービスする少なくとも１つのアレイアンテナであって、各々が１つの開口の範囲内に複数のアンテナサブアレイを含み及び固定ビームのセットを用いてサービスエリアへカバレッジを提供するように構成される、上記少なくとも１つのアレイアンテナを伴う少なくとも１つのノードと、各固定ビームは、上記サービスエリアの一部をカバーする、上記少なくとも１つのアレイアンテナの上記アンテナサブアレイへ重みを適用することにより生成されるビームパターンを有することと、
−  第１の固定ビーム及び第２の固定ビームが上記１つ以上のユーザへカバレッジを提供する少なくとも２つの固定ビームに関する情報を提供するように構成されるスケジューラと、
−  上述した制御システムと、
を含む。
【００４７】
本概念の恩恵をさらに説明するために、２次元のサービスエリアと共に２次元アンテナが示される。図１０ａには、固定ビームについての、１０×１０のアクティブなアンテナサブシステムからなる２次元方形アレイアンテナを介して形成されるビームパターン８０が示されている。当該アレイアンテナは、均一な振幅分布及び均一な位相分布を供給され、これは、開口効率及び電力増幅器利用率が高く、実際１００％に等しいことを意味する。考察し得ることとして、広い範囲にわたってサイドローブレベルはかなり低く、その範囲内に（矢印８３及び８４により示される）主要なカットは含まれない。網掛けされた平面８１は、固定ビームのピーク８２に対して−２５ｄＢのレベルを示す。これは、当該アレイアンテナの均一な振幅減衰（amplitude  taper）に関わらず、互いの主要なカットに位置しない限りは、複数の同時のユーザに良好な隔離でサービスすることが可能であることを意味する。当該アレイアンテナ内の各アンテナサブアレイについての電力利用率８５が図１０ｂに示されている。
【００４８】
図１１ａには、固定ビームの例としての他のビームパターン１００が示されており、主要なカット（方位角１０１及び仰俯角１０２の双方）内でサイドローブレベルが−２５ｄＢとなるように、テイラー減衰又は分布がアレイアンテナへ適用される。網掛けされた平面１０３は、固定ビームのピーク１０４に対して−２５ｄＢのレベルを示す。サイドローブレベルはそれら領域において明らかに減少しているが、これは０．９ｄＢの損失に相当する今や８２％というアレイ効率と共に、５ｄＢの“損失（loss）”に相当する今や３０％という電力増幅器利用率の双方の点で、代償をもたらす。このケースについての電力利用率１０５が図１１ｂに示されている。そのため、テイラー振幅減衰が常に適用されると、全てのビームについて、サービスされるＵＥ数によらず、上記配置は常にそれら損失を被る。これは、メインビーム外の全ての方向において固定的なサイドローブ抑制を伴ういかなる開口分布についても真実であり、テイラー分布はそうした分布の１つの例に過ぎない。
【００４９】
よって、必要とされる時にのみ、即ちユーザが他のサービングビームからの高いサイドローブレベルを伴う領域内に位置してサービスされている時にのみ、不均一な減衰を使用する方がよい。そうした状況が生じる場合、必要とされる方向のサイドローブのみが抑制されるべきである。例えば、方位角の次元に沿って２つのユーザが同時にサービスされる場合、不均一な振幅減衰はその次元にのみ適用され、他方は均一な振幅減衰とされる。その次元に沿った利得は、前回の１次元の例についての利得と同じとなる。そして、平均の利得は、ユーザの分布と共にそれらがどのようにスケジューリングされるかに依存するであろう。
【００５０】
本発明は、平均開口効率（開口効率は最大指向性に影響する）を改善すると共に、電力増幅器の利用率を改善する。電力リソースの共有が前提とされ（分散型ＰＡ）、電力利用率はユーザごと（１ストリーム）であっても全てのユーザ（複数ストリーム）についての平均であってもよい。
【００５１】
１次元アレイアンテナについて、上の例は、開口効率において０．１３〜０．１５ｄＢの範囲の利得を、電力増幅器利用率において１．１〜１．８ｄＢのオーダの利得を示した。
【００５２】
２次元アンテナについて、利得は格段に高くなり得る。上の例では、アレイ効率において利得は０．９ｄＢの範囲内である一方、電力利用率において利得は格段に高く、４〜５ｄＢのオーダ内である。
【００５３】
図１２は、１つ以上のユーザへサービスする少なくとも１つのアレイアンテナにより生成されるビームパターンを適応させるための方法を例示するフローチャートを示している。上で言及したように、上記方法は、固定ビームのセットを用いてサービスエリアへカバレッジを提供するように構成される、１つの開口の範囲内に複数のアンテナサブアレイを含むアレイアンテナを要する。各固定ビームは、（例えば１次元アレイアンテナについてはセクタなど）サービスエリアの一部をカバーするビームパターンを有し、そのビームパターンはアンテナサブアレイへ重みを適用することにより生成される。
【００５４】
１１０：フロー開始
【００５５】
１１１：固定ビームの数“Ｋ”がサービスエリア内で定義される。さらに、第１の整数ｎが１にセットされる（ｎ＝１）。
【００５６】
１１２：第２の整数ｋが１へセットされる（ｋ＝１）。
【００５７】
１１３：ｋ＝Ｋ＋１であれば、各ビームについての複数セットの重みの生成は完了し、フローは１２０へ続く。そうでなければ、フローは１１４へ続く。
【００５８】
１１４：ｎ＝ｋであれば、そうしたビームパターンを生成することは不可能であることから重みのセットは生成されないものとされ、フローは１１５を介して１１３へ立ち戻る。
【００５９】
１１５：整数ｋが１だけ増加される（ｋ＝ｋ＋１）。
【００６０】
１１６：第１の固定ビームｎ＝１について、主方向におけるカバレッジと、他のある方向、即ちビーム方向ｋ＝２における１つ以上の閾値よりも低いサイドローブレベルとを有する重みのセットＷｎｋが生成される。留意すべきこととして、図６ａ及び図７ａに例示したように、複数のビーム方向ｋにおいて同時に閾値を下回るＳＬＬを提供することになる重みのセットを生成することが可能であり得る。１つ以上の閾値は、−２０ｄＢよりも低いものとして選択されてもよい。
【００６１】
主方向以外の限られた数の固定ビームの方向と一致する方向において閾値のうちの１つよりも低いサイドローブレベルを有する少なくとも１セットの重みが生成されてよい。
【００６２】
１１７：ｋがＫに等しくなければ、フローは１１５を介して１１３へ続く。一方、ｋ＝Ｋであれば、フローは１１８へ続く。
【００６３】
１１８：第１のビームについての重みのセットＷ１１〜Ｗ１ｋが将来の使用のためにメモリ内に記憶され、フローは１１９を介して１１２へ続く。フローチャートを修正して、ステップ１１６において第１のビームについての重みの各セットをその生成後に直接的にメモリ内へ記憶することも可能である。
【００６４】
１１９：整数ｎが１だけ増加される（ｎ＝ｎ＋１）。
【００６５】
ステップ１１２〜１１９をｎ及びｋの全てのあり得る組み合わせについて重みのセットが生成されるまで反復することで、フローは１１３から１２０へ続く。
【００６６】
１２０：通信目的のために使用されることが意図される少なくとも２つの固定ビームに関するスケジューラからの情報の形式での入力が受信されると、フローは１２１へ続く。ここで、第１の固定ビーム及び第２の固定ビームが同じユーザへカバレッジを提供し、又は、第１のビームが第１のユーザへカバレッジを提供し及び第２の固定ビームが第２のユーザへカバレッジを提供する。上記入力が受信されない場合、スケジューラからの入力が受信されるまで、フローはループ内で立ち戻る。
【００６７】
１２１：第１のビームと第２のビームとの間の干渉を最小化するように、第２の固定ビームの主方向におけるサイドローブレベルに基づいて、第１の固定ビームについて、記憶されている重みのセットから重みのセットが選択され、及び、第１の固定ビームの主方向におけるサイドローブレベルに基づいて、第２の固定ビームについて、記憶されている重みのセットから重みのセットが選択される。
【００６８】
留意すべきこととして、重みのセットの選択は追加的な特徴を包含してもよい：
【００６９】
上記重みはアンテナサブアレイにわたる振幅分布及び／又は位相分布を含み、各固定ビームについて生成される重みの各セットは開口効率に対応し、重みのセットの選択は、第１の固定ビーム及び第２の固定ビームの方向においてサイドローブレベルが閾値のうちの１つを下回ることを維持しながら、最高の開口効率に対応する重みの各セットを第１の固定ビーム及び第２の固定ビームについて選択すること、をも含んでよい。開口効率は、主ビーム外の全ての方向において固定的なサイドローブ抑制を伴う開口分布を適用する際の開口効率と比較して改善されるように選択されてもよい。一例として、開口効率は、均一な振幅分布を適用する際の開口効率と比較して、９５％を上回る予め決定される値だけ改善され得る。
【００７０】
さらに、各固定ビームについて生成される重みの各セットは、電力増幅器利用率に対応し、重みのセットの選択は、最高の電力増幅器利用率に対応する重みの各セットを、第１の固定ビーム及び第２の固定ビームについて選択すること、をも含んでよい。電力増幅器利用率は、主ビーム外の全ての方向において固定的なサイドローブ抑制を伴う開口分布を適用する際の電力増幅器利用率と比較して改善されるように選択されてもよい。一例として、電力増幅器利用率は、均一な振幅分布を適用する際の電力増幅器利用率と比較して、６５％という予め決定される値だけ改善され得る。
【００７１】
また、重みのセットの選択は、ユーザへサービスする各固定ビームについて、同じユーザ又は他のユーザへサービスする他のビームの方向においてのみサイドローブを抑制すること、を含んでもよい。
【００７２】
第１次元、及び第１次元に垂直な第２次元において、複数のビームを介して１つ以上のユーザがサービスされる場合には、２次元アレイアンテナの使用が有益であるかもしれない。複数のビームが第１次元に沿って分布し、重みのセットの選択が、第１次元において不均一な振幅分布を使用することと、第２次元において均一な振幅分布を使用することと、を含んでもよい。
【００７３】
１２２：少なくとも１つのアレイアンテナのアンテナサブアレイへ、各固定ビームについて選択される重みのセットが、それぞれのビームパターンを生成する際に適用され、フローは１２０へと立ち戻り、必要な場合に重みのセットの選択を変更するためのスケジューラからの入力が待ち受けられる。
【００７４】
図１３は、複数の空間的ＭＩＭＯストリームを用いて、１つ以上のユーザへサービスする少なくとも１つのアレイアンテナにより生成されるビームパターンを適応させるように構成される汎用的な装置１３０を示しており、各アレイアンテナは、１つの開口の範囲内に複数のサブアレイを含み、固定ビームのセットを用いてサービスエリアへカバレッジを提供するように構成される。各固定ビームは、上記サービスエリアの一部をカバーするビームパターンを有し、上記ビームパターンは、上記アンテナサブアレイへ重みを適用することにより生成される。上記汎用的な装置は、次を含む：
【００７５】
第１モジュール１３１は、各固定ビームについて複数セットの重みを生成するために適合され、重みの各セットは、主方向における同様のカバレッジ、及び、上記主方向以外の他の方向における１つ以上の閾値よりも低いサイドローブレベルを生成する。上記他の方向は、固定ビームの上記セットに属する限られた数の固定ビームの主方向に対応する。
【００７６】
第２モジュール１３２は、各固定ビームについての生成される上記重みのセットを記憶する、ために適合される。
【００７７】
第３モジュール１３３は、通信目的のために使用されることを意図される少なくとも２つの固定ビームに関する情報をスケジューラから受信する、ために適合される。第１の固定ビーム及び第２の固定ビームは、上記１つ以上のユーザへカバレッジを提供する。
【００７８】
第４モジュール１３４は、上記第１のビームと上記第２のビームとの間の干渉を最小化するように、上記第２の固定ビームの主方向におけるサイドローブレベルに基づいて、上記第１の固定ビームについて、記憶されている重みのセットから重みのセットを選択するために適合され、及び、上記第１の固定ビームの主方向におけるサイドローブレベルに基づいて、上記第２の固定ビームについて、記憶されている重みのセットから重みのセットを選択するために適合される。
【００７９】
第５モジュール１３５は、各固定ビームについての選択される上記重みのセットを、上記少なくとも１つのアレイアンテナのアンテナサブアレイへ、それぞれのビームパターンを生成する際に適用する、ために適合される。
【００８０】
＜略語＞
ｄＢｉ          −  dB(isotropic)
ＭＩＭＯ        −  Multiple-Input  and  Multiple-Output
ＭＵ−ＭＩＭＯ  −  Multi-User  MIMO  
ＰＡ            −  Power  Amplifier
ＳＩＲ          −  Signal-to-Interference  Ratio
ＳＩＮＲ        −  Signal-to-Noise  Ratio
ＳＬＬ          −  Side  Lobe  Level
ＳＵ−ＭＩＭＯ  −  Single-User  MIMO
ＵＥ            −  User  Equipment
【図１】
0006490830.tif 000002
【図２】
0006490830.tif 000003
【図３】
0006490830.tif 000004
【図４ａ】
0006490830.tif 000005
【図４ｂ】
0006490830.tif 000006
【図５ａ】
0006490830.tif 000007
【図５ｂ】
0006490830.tif 000008
【図６ａ】
0006490830.tif 000009
【図６ｂ】
0006490830.tif 000010
【図７ａ】
0006490830.tif 000011
【図７ｂ】
0006490830.tif 000012
【図８】
0006490830.tif 000013
【図９】
0006490830.tif 000014
【図１０ａ】
0006490830.tif 000015
【図１０ｂ】
0006490830.tif 000016
【図１１ａ】
0006490830.tif 000017
【図１１ｂ】
0006490830.tif 000018
【図１２】
0006490830.tif 000019
【図１３】
0006490830.tif 000020